(57)【要約】【課題】前方および後方を作業に応じて容易に確認することができ、また確認のために身体を捻るなどの負担を減らすことができ、操縦操作が容易に行なえる、ブルドーザの運転席を提供する。【解決手段】座席（１６）および操縦装置（１８）が装備され鉛直軸線（Ｘ）を中心に機体に旋回自在に取り付けられた旋回床（２０）と、旋回床（２０）を旋回駆動する旋回手段（２２）と、旋回手段（２２）を制御して、座席（１６）を作業に応じて機体の前方側に向けた「前側位置」または後方側に向けた「後側位置」に位置づける制御手段（２４）と、制御手段（２４）をオンオフする旋回スイッチ（２６）を備える。【選択図】図１
2007247337.tif 000002
【特許請求の範囲】
【請求項１】
機体の前部にドーザ装置を装備したブルドーザの運転席であって、
座席および操縦装置が装備され鉛直軸線を中心に機体に旋回自在に取り付けられた旋回床と、
この旋回床を旋回駆動する旋回手段と、
旋回手段を制御して、座席を、機体の前方側に向けた「前側位置」または後方側に向けた「後側位置」に位置づける制御手段と、
制御手段をオンオフする旋回スイッチと
を備え、
座席は「後側位置」に、旋回スイッチがオン状態で、操縦装置の走行操縦手段が後進状態のときに位置づけられる、
ことを特徴とするブルドーザの運転席。
【請求項２】
機体の後部にリッパ装置を装備し、
運転席にはリッパ作業を行なうときにそのことを制御手段に入力するリッパモードスイッチを備え、
旋回スイッチがオン状態で、リッパモードスイッチがリッパ作業状態のときには、座席は「後側位置」に位置づけられる、
ことを特徴とする、請求項１記載のブルドーザの運転席。
【請求項３】
制御手段は、旋回手段による座席の「前側位置」および「後側位置」を調整可能に設定する、
ことを特徴とする請求項１または２記載のブルドーザの運転席。
【請求項４】
座席の「後側位置」が、機体の略側方を向く位置に設定されている、
ことを特徴とする請求項１から３までのいずれかに記載のブルドーザの運転席。
【請求項５】
座席に装備されたシートベルトが着用状態か否かを検出するベルト着用検出手段を備え、
ベルト着用検出手段が非着用状態を検出しているときには、着用状態が検出されるまで制御手段による旋回手段の制御は停止される、
ことを特徴とする請求項１から４までのいずれかに記載のブルドーザの運転席。
【発明の詳細な説明】
【技術分野】
【０００１】
本発明は、ブルドーザの運転席、さらに詳しくは、ブルドーザの操縦操作を容易に行なうことができる運転席に関する。
【背景技術】
【０００２】
土砂の掘削、運土などの作業を行うブルドーザは、作業装置として、機体の前部にドーザ装置を装備し、機体の後部にはリッパ装置が適宜に装備されている。これらの作業装置は機体の運転席に着座したオペレータによって操作される。
【０００３】
ブルドーザによる掘削、運土などの作業は、機体の前進および後進を繰り返えすことによって行われる。すなわち、前進走行しながらドーザ装置を用いて土砂を掘削し運土する。また、前進走行しながらリッパ装置を用いてドーザ装置では掘削することができない硬い地盤を破砕し掘削する。そして、前進走行と同等の距離を後進走行で戻り、次の前進走行によって作業を行なう。
【０００４】
掘削、運土作業が多い現場では専らドーザ装置が用いられ、硬い地盤の破砕、掘削作業が多い現場では専らリッパ装置が用いられ、これらの作業が混じった現場では両者が適宜に選択され用いられる。
【０００５】
オペレータは、ドーザ装置を用いる作業のときには、機体の前方を確認しながら前進操縦およびドーザ装置の操作を行い、リッパ装置を用いる作業のときには、機体の前方および後方、主として後方を確認しながら前進操縦および後部のリッパ装置の操作を行う。後進走行のときには、後方を確認しながら後進操縦を行う。
【発明の開示】
【発明が解決しようとする課題】
【０００６】
上述したとおりの形態の従来のブルドーザには、次のとおりの解決すべき課題がある。
【０００７】
すなわち、ブルドーザによる作業は、前進と後進を繰り返えす頻度が高いので、運転席のオペレータは前方および後方を交互に頻繁に見て操縦操作を行う。一方、ブルドーザの運転席は前方を向いて設置されているので、オペレータは、後進のときまた後部のリッパ装置を用いる作業のときには、身体を後方に捻り振り返えった姿勢で操縦操作を行う。
【０００８】
したがって、ブルドーザの操縦操作は、オペレータにとって、前方とともに、後方を振り返っての確認が頻繁に必要であるので、身体の負担が大きい。また、オペレータの身体サイズによっては、振り返って後方の視界を確保するのが難しい。
【０００９】
本発明は上記事実に鑑みてなされたもので、その技術的課題は、前方および後方を作業に応じて容易に確認することができ、また確認のために身体を捻るなどの負担を減らすことができ、操縦操作が容易に行なえる、ブルドーザの運転席を提供することである。
【課題を解決するための手段】
【００１０】
本発明によれば上記技術的課題を解決するブルドーザの運転席として、機体の前部にドーザ装置を装備したブルドーザの運転席であって、座席および操縦装置が装備され鉛直軸線を中心に機体に旋回自在に取り付けられた旋回床と、この旋回床を旋回駆動する旋回手段と、旋回手段を制御して、座席を、機体の前方側に向けた「前側位置」または後方側に向けた「後側位置」に位置づける制御手段と、制御手段をオンオフする旋回スイッチとを備え、座席は「後側位置」に、旋回スイッチがオン状態で、操縦装置の走行操縦手段が後進状態のときに位置づけられる、ことを特徴とするブルドーザの運転席が提供される。
【００１１】
好適には、機体の後部にリッパ装置を装備し、運転席にはリッパ作業を行なうときにそのことを制御手段に入力するリッパモードスイッチを備え、旋回スイッチがオン状態でリッパモードスイッチがリッパ作業状態のときには、座席は「後側位置」に位置づけられる。また、制御手段は、旋回手段による座席の「前側位置」および「後側位置」を調整可能に設定する。さらに、座席の「後側位置」は、機体の略側方を向く位置に設定されている。そして、座席に装備されたシートベルトが着用状態か否かを検出するベルト着用検出手段を備え、ベルト着用検出手段が非着用状態を検出しているときには、着用状態が検出されるまで制御手段による旋回手段の制御は停止される。
【発明の効果】
【００１２】
本発明に従って構成されたブルドーザの運転席は、座席および操縦装置を装備した旋回床が、旋回スイッチをオン状態にしたときには、ブルドーザの作業形態にあわせて、座席が機体の前方側に向いた「前側位置」または後方側に向いた「後側位置」になる。したがって、ブルドーザの前方および後方を作業に応じて容易に確認することができ、また確認のための身体を捻るなどの負担を減らすことができ、操縦操作を容易に行なえる。
【発明を実施するための最良の形態】
【００１３】
以下、本発明に従って構成されたブルドーザの運転席について、好適実施形態を図示している添付図面を参照して、さらに詳細に説明する。
【００１４】
ブルドーザの概要を示した側面図である図４を参照して説明する。全体を番号２で示すブルドーザは、左右（図４の紙面に垂直方向）一対の履帯式の走行装置４、４を有した機体６と、機体６の前部（図４の左側部）に油圧シリンダによって昇降動を自在に装備されたドーザ装置８と、機体６の後部（図４の右側部）に油圧シリンダによって昇降動を自在に装備されたリッパ装置１０を備えている。機体６の後部側には運転席を有したキャブ１２が備えられている。
【００１５】
上述の運転席の部分を示した図１および図２を参照して説明する。キャブ１２に備えた運転席１４は、座席１６および操縦装置１８が装備され鉛直軸線Ｘを中心に機体６に旋回自在に取り付けられた旋回床２０と、この旋回床２０を旋回駆動する旋回手段２２と、旋回手段２２を制御して、座席１６を、機体６の前方側（図４の左方側）に向けた「前側位置」（図１および図２（ａ）に示す位置）または後方側（図４の右方側）に向けた「後側位置」（図２（ｂ）に示す位置）に位置づける制御手段２４と、制御手段２４をオンオフする旋回スイッチ２６と、リッパ作業を行なうときにそのことを制御手段２４に入力するリッパモードスイッチ２８を備えている。
【００１６】
旋回床２０の旋回中心である鉛直軸線Ｘは、機体６の左右幅方向（図２の上下方向）の中心線Ｚに対して、片側（左側）に寸法Ｌオフセットされている。
【００１７】
座席１６の位置の制御については後に詳述するが、座席１６は「後側位置」に、旋回スイッチ２６がオン状態で、操縦装置１８の走行操縦手段１８ａが後進状態のときに位置づけられる。座席１６はまた「後側位置」に、旋回スイッチ２６がオン状態で、リッパモードスイッチ２８がリッパ作業状態のときにおいても位置づけられる。
【００１８】
旋回床２０は円形の平板状に形成され、キャブ１２の床１２ａに形成した円形孔１２ｂの中に、上面を床１２ａの上面と同一にして配設されている。旋回床２０は、旋回軸受を備え旋回手段２２を取り付けた支持柱２１によって機体６に取り付けられている。
【００１９】
座席１６は、座部１６aと、座部１６ａに前後に傾動可能に取り付けられた背当部１６ｂを備え、旋回床２０の上に設置されたサスペンション機構１６ｃの上に取り付けられている。座席中心Ｓは鉛直軸線Ｘ上に位置づけられている。
【００２０】
座席１６の左右両側には、左右一対の、旋回床２０上に立設されたコンソール３０ａ、３０ｂを備えている。コンソール３０ａ、３０ｂには、座席１６との間にそれぞれアームレスト３２ａ、３２ｂが取り付けられている。座席１６の前側の旋回床２０上には、左右一対のフットレスト３４、３４が取り付けられている。
【００２１】
操縦装置１８は、左側のコンソール３０ａ上に、突出した走行操縦手段としての前記走行操作レバー１８ａを備え、右側のコンソール３０ｂ上に、突出したドーザ操作レバー１８ｂおよびリッパ操作レバー１８ｃを備えている。走行操作レバー１８ａを操作することによってブルドーザ２（図４）の左右の走行装置４，４の回転速度、回転方向が制御され、ブルドーザ２の前後走行方向、走行速度、左右操向方向が操縦される。ドーザ操作レバー１８ｂを操作することによってドーザ装置８（図４）の昇降動が、リッパ操作レバー１８ｃを操作することによってリッパ装置１０（図４）の昇降動が操作される。
【００２２】
右側のコンソール３０ｂの上には、ドーザ操作レバー１８ｂおよびリッパ操作レバー１８ｃに並んで、前述のリッパモードスイッチ２８および旋回スイッチ２６が取り付けられている。これらのスイッチはオンオフスイッチによって構成されている。リッパモードスイッチ２８は、オン状態において、リッパ作業を行なう状態であることを制御手段２４に入力する。
【００２３】
走行操作レバー１８ａは、操作に応じた電気信号を出力する電気式操作レバーによって形成されている。ブルドーザ２の走行方向は、走行操作レバー１８ａから出力される電気信号を検知することによって識別される。すなわち、「前進」に操作した状態の出力信号によって「前進状態」であることが、「後進」に操作した状態の出力信号によって「後進状態」であることが検知される。
【００２４】
旋回手段２２は、制御手段２４によって回転が制御される電動式のステップモータを備えている。ステップモータの１パルスあたりの旋回角度が決められており、制御手段２４から出力されるパルス信号に同期して旋回角度が規定される。
【００２５】
座席１６には、巻き込み収納式のシートベルト３６が装備されている。シートベルト３６は、オペレータが未着用のときには座席の左右に巻き込まれており、左右のベルトを引出しそれぞれのバックルを結合させた着用状態にすると、バックルの部分に備えたベルト着用検出手段３８がシートベルト着用状態であることを検出し制御手段２４に出力する。ベルト着用検出手段３８が非着用状態を検出しているときには、着用状態が検出されるまで制御手段２４による旋回手段２２の制御は停止される。
【００２６】
旋回手段２２を制御して座席１６を「前側位置」または「後側位置」のいずれかに位置づける制御手段２４は、座席１６の後方の旋回床２０上に設置され、パルスモータに出力するパルス信号のパルス数、パルス間隔を自在に調整する調整手段２５を備えている。調整手段２５を調整することによって、座席１６の「前側位置」および「後側位置」さらに旋回床２０の旋回速度が設定される。
【００２７】
実施例においては、座席１６の「前側位置」（図２（ａ））は、機体６の真っ直ぐ前方を向いた位置に、座席１６の「後側位置」（図２（ｂ））は、機体６の略側方（右側）を向く位置から後方側に約１０°向いた位置に設定されている。
【００２８】
制御手段２４による座席１６の向きの制御手順について、図１および図２とともに、図４に示したフローチャートを参照して説明する。
【００２９】
ステップＳ１において、旋回スイッチ２６が「オン状態」か「オフ状態」かが判定され、「オン」のときにはステップＳ２に進む。「オフ」のときにはステップＳ３に進み、座席１６を、「前側位置」でない場合には「前側位置」にし制御を停止する。
【００３０】
ステップＳ２において、ベルト着用検出手段３８が「着用状態」か「非着用状態」かが判定され、「着用状態」のときにはステップＳ４に進み、「非着用状態」のときにはステップＳ２にもどり、着用状態が検出されるまで制御は停止される。
【００３１】
ステップＳ４において、リッパモードスイッチ２８がリッパ作業を行なう状態であることを示す「オン状態」であるか否かが判定される。「オン」のときにはステップＳ５に進み「オフ」のときにはステップＳ６に進む。
【００３２】
ステップＳ６において、走行操縦手段の走行操作レバー１８ａが「後進状態」であるか否かが判定される。「後進状態」のときにはステップＳ５に進み、「後進状態」でないときにはステップＳ７に進む。
【００３３】
ステップＳ５において、座席１６は「後側位置」に位置づけられステップＳ１に戻る。
【００３４】
ステップＳ７において、座席１６は「前側位置」に位置づけられステップＳ１に戻る。
【００３５】
上述したとおりのブルドーザの運転席の作用効果について説明する。
【００３６】
ブルドーザ２の運転席１６は、オペレータがシートベルト３６を着用し旋回スイッチ２６をオン状態にすると、座席１６および操縦装置１８を装備した旋回床２０は、ブルドーザの作業形態にあわせて、座席１６が機体６の前方側に向いた「前側位置」または後方側に向いた「後側位置」に位置づけられる。
【００３７】
すなわち、座席１６は、前部のドーザ装置８を用いる作業においては、前進操向時には「前側位置」に、後進走行時には「後側位置」になり、また後部のリッパ装置１０を用いる作業においては、前進走行時および後進走行時共に「後側位置」になる。したがって、座席１６に着座したオペレータは、ブルドーザの前方および後方を作業に応じて容易に確認することができ、また確認のための身体を捻るなどの負担が減り、操縦操作を容易に行なうことができる。
【００３８】
リッパ装置１０を用いる地盤などの破砕、掘削の作業は、ドーザ装置８を用いる作業に比べて走行速度が超低速であるので、前進走行時において座席１６がリッパ装置１０を操作しやすい「後側位置」にあっても、オペレータは容易に前方を確認することができる。
【００３９】
座席１６の「後側位置」を、上記実施例のように機体６の略側方の後方側を向く位置に設定することにより、「後側位置」においてオペレータは容易に、機体の横方向、および前後方向を確認することができる。
【００４０】
制御手段２４は、旋回手段２２による座席１６の「前側位置」および「後側位置」を調整可能に設定するので、座席１６の向きを、ドーザ装置８を用いる作業、リッパ装置１０を用いる作業などの頻度によって、オペレータが操縦操作しやすい好みの位置に設定することができる。
【００４１】
ブルドーザの運転席１４においては、ベルト着用検出手段３８が非着用状態を検出しているときには、着用状態が検出されるまで制御手段２４による旋回手段２２の制御を停止する。したがって、座席１４が旋回されるときにはオペレータは確実にシートベルト３６によって座席に保持される。
【００４２】
座席１６の旋回床２０の旋回中心である鉛直軸線Ｘは、機体６の左右幅方向の中心線Ｚに対して、片側（左側）に寸法Ｌオフセットされ、座席中心Ｓはこの鉛直軸線Ｘ上に位置づけられている。したがって、オペレータは機体の前方、側方、後方を容易に視認することができる。
【００４３】
本発明の実施例におけるブルドーザ２は、前部にドーザ装置８を、後部にリッパ装置１０を備えているが、本発明に係る運転席１４を備えるブルドーザは、前部にドーザ装置８だけを備えたものでもよい。
【図面の簡単な説明】
【００４４】
【図１】本発明に従って構成されたブルドーザの運転席の側面図で、図２のＡ−Ａ矢印方向に見た図。
【図２】図４のＢ−Ｂ矢印方向に見た、図１に示す運転席の平面図で、（ａ）は運転座席「前側位置」の図、（ｂ）は運転座席「後側位置」の図。
【図３】運転座席の向きを制御する制御手段の制御手順のフローチャート。
【図４】本発明に係る運転席を備えたブルドーザの側面図。
【符号の説明】
【００４５】
２：ブルドーザ
６：機体
８：ドーザ装置
１０：リッパ装置
１４：運転席
１６：座席
１８：操縦装置
１８ａ：走行操作レバー（走行操縦手段）
２０：旋回床
２２：旋回手段
２４：制御手段
２６：旋回スイッチ
２８：リッパモードスイッチ
３６：シートベルト
３８：ベルト着用検出手段
Ｘ：鉛直軸線
Ｓ：座席中心
【図１】
2007247337.tif 000003
【図２】
2007247337.tif 000004
【図３】
2007247337.tif 000005
【図４】
2007247337.tif 000006